(57)【特許請求の範囲】
【請求項１】
ステントグラフト送達システムであって、
先端管を有する先端アセンブリと、
中間部材近位端を有し、中間部材ルーメンを構成する中間部材管であって、前記中間部材ルーメン内に前記先端管が配置され長手方向にスライド可能である中間部材管と
動作可能にシース管近位端に接続されたシース管およびシースハンドルを有するシースアセンブリであって、前記シース管はシースルーメンを構成し、前記中間部材管は前記シースルーメン内に配置され、かつ長手方向にスライド可能である、シースアセンブリと
外ネジを有し、ネジ付きアセンブリルーメン、第１の側壁ポートおよび第２の側壁ポートを構成するネジ付きアセンブリと、
長手方向円柱形エンドシール本体および前記長手方向円柱形エンドシール本体を横断する横断方向円柱形エンドシール本体を有する単一エンドシールであって、前記長手方向エンドシール円柱形本体は近位部分、中間部分、および遠位部分を有するエンドシールルーメンを構成し、前記横断方向円柱形エンドシール本体は第１の円柱形部分および第２の円柱形部分を有する、単一エンドシールと、を備え、
前記先端管は前記エンドシールルーメンの前記近位部分内に配置され、かつ長手方向にスライド可能であり、前記中間部材管の前記中間部材近位端は前記エンドシールルーメンの前記遠位部分に配置され、かつ前記長手方向円柱形エンドシール本体に固定され、前記横断方向円柱形エンドシール本体の前記第１の円柱形部分は前記ネジ付きアセンブリの前記第１の側壁ポートに配置され、前記横断方向円柱形エンドシール本体の前記第２の円柱形部分は前記ネジ付きアセンブリの前記第２の側壁ポートに配置され、前記長手方向エンドシール円柱形本体は前記ネジ付きアセンブリルーメンに配置され、
前記シースハンドルは、前記ネジ付きアセンブリの前記外ネジと第１の構成で係合して、前記シースハンドルの回転によって前記中間部材管および前記先端管に対して長手方向に前記シース管を移動し、前記ネジ付きアセンブリの前記外ネジと第２の構成で係脱して、前記シースハンドルの長手方向運動によって前記中間部材管および前記先端管に対して長手方向に前記シース管を移動し、
前記長手方向エンドシール円柱形本体は、中心軸を有し、 
前記第１の横断円柱形部分は、テーパ付き洗い流しポートと前記エンドシールルーメンの前記中間部分との間のパーティションとともに、前記中心軸の方へ向かって、内向きに先細りになっている前記テーパ付き洗い流しポートを構成し、
前記パーティションは前記テーパ付き洗い流しポートと前記エンドシールルーメンの前記中間部分との間のスリットを構成し、前記エンドシールルーメンの前記中間部分は前記中間部材ルーメンと連通し、
前記洗い流しポートが空いているときに、前記スリットは閉じ、
前記洗い流しポートに洗い流しコネクタが完全に挿入されると前記スリットが開く、
ことを特徴とするステントグラフト送達システム。
【請求項２】
前記単一エンドシールがウレタンおよびシリコーンからなる群から選択される弾性材料を備える、
請求項１に記載のステントグラフト送達システム。
【請求項３】
前記単一エンドシールがショアＡジュロメータ硬度６０〜７０の弾性材料を含む、
請求項１に記載のステントグラフト送達システム。
【請求項４】
前記中間部材近位端は、前記中間部材近位端と前記長手方向円柱形エンドシール本体との間の摩擦によって、前記長手方向円柱形エンドシール本体に固定されている、
請求項１に記載のステントグラフト送達システム。
【請求項５】
前記中間部材近位端は、接着剤で前記長手方向円柱形エンドシール本体に固定されている、
請求項１に記載のステントグラフト送達システム。
【請求項６】
前記先端管は、ガイドワイヤルーメンを構成する、
請求項１に記載のステントグラフト送達システム。
【請求項７】
先端管近位端に動作可能に連結された先端ハンドルを更に含む、
請求項１に記載のステントグラフト送達システム。
【請求項８】
前記ネジ付きアセンブリは、第１のネジ付き管部分および第２のネジ付き管部分を有し、
前記第１のネジ付き管部分は、前記第１の側壁ポートを構成し、
前記第２のネジ付き管部分は、前記第２の側壁ポートを構成する、
請求項１に記載のステントグラフト送達システム。
【請求項９】
先端管と、中間部材近位端を有し、中間部材ルーメンを構成する中間部材管と、ネジ付きアセンブリルーメン、第１の側壁ポートおよび第２の側壁ポートを構成するネジ付きアセンブリと、を有する、ステントグラフト送達システムに用いられる単一エンドシールであって、 
長手方向円柱形エンドシール本体であって、前記長手方向エンドシール円柱形本体は、近位部分、中間部分および遠位部分を有するエンドシールルーメンを構成する、長手方向円柱形エンドシール本体と、
前記長手方向円柱形エンドシール本体を横断する横断方向円柱形エンドシール本体であって、第１の円柱形部分および第２の円柱形部分を有する、横断方向円柱形エンドシール本体と、を備え、
前記先端管は前記エンドシールルーメンの前記近位部分内に配置され、かつ長手方向にスライド可能であり、前記中間部材管の前記中間部材近位端は前記エンドシールルーメンの前記遠位部分に配置され、かつ長手方向円柱形エンドシール本体に固定され、前記横断方向円柱形エンドシール本体の前記第１の円柱形部分は前記ネジ付きアセンブリの前記第１の側壁ポートに配置され、前記横断方向円柱形エンドシール本体の前記第２の円柱形部分は前記ネジ付きアセンブリの前記第２の側壁ポートに配置され、前記長手方向エンドシール円柱形本体は前記ネジ付きアセンブリルーメンに配置され、
前記長手方向エンドシール円柱形本体は、中心軸を有し、 
前記第１の円柱形部分は、テーパ付き洗い流しポートと前記エンドシールルーメンの前記中間部分との間のパーティションをとともに、前記中心軸の方へ向かって、内向きに先細りになっている前記テーパ付き洗い流しポートを構成し、
前記パーティションは前記テーパ付き洗い流しポートと前記エンドシールルーメンの前記中間部分との間のスリットを構成し、前記エンドシールルーメンの前記中間部分は前記中間部材ルーメンと連通し、
前記テーパ付き洗い流しポートが空いているときに、前記スリットは閉じ、
前記洗い流しポートに洗い流しコネクタが完全に挿入されると前記スリットが開く、
ことを特徴とする単一エンドシール。
【請求項１０】
前記単一エンドシールがウレタンおよびシリコーンからなる群から選択される弾性材料を含む、
請求項９に記載の単一エンドシール。
【請求項１１】
前記単一エンドシールがショアＡジュロメータ硬度６０〜７０の弾性材料を含む、
請求項９に記載の単一エンドシール。
【請求項１２】
前記中間部材近位端は、前記中間部材近位端と前記長手方向円柱形エンドシールとの間の摩擦によって、前記長手方向円柱形エンドシール本体に固定されている、
請求項９に記載の単一エンドシール。
【請求項１３】
前記中間部材近位端は、接着剤で前記長手方向円柱形エンドシール本体に固定されている、
請求項９に記載の単一エンドシール。
【請求項１４】
ステントグラフト送達システムであって、
先端管を有する先端アセンブリと、
中間部材近位端を有し、中間部材ルーメンを構成している中間部材管であって、前記中間部材ルーメン内に前記先端管が配置され、かつ長手方向にスライド可能である、中間部材管と、
作動可能にシース管近位端に接続されているシース管およびシースハンドルを有するシースアセンブリであって、前記シース管はシースルーメンを構成し、前記中間部材管は前記シースルーメン内に配置され、かつ長手方向にスライド可能である、シースアセンブリと、
外ネジを有し、ネジ付きアセンブリルーメン、第１の側壁ポートおよび第２の側壁ポートを構成するネジ付きアセンブリと、
長手方向円柱形エンドシール本体と前記長手方向円柱形エンドシール本体を横断する横断方向円柱形エンドシール本体とを有する単一エンドシールであって、前記長手方向エンドシール円柱形本体は中心軸を有し、近位部分、中間部分および遠位部分を有するエンドシールルーメンを構成し、前記横断方向円柱形エンドシール本体は、第１の円柱形部分および第２の円柱形部分を有し、前記第１の横断方向円柱形部分は、テーパ付き洗い流しポートと前記エンドシールルーメンの前記中間部分との間のパーティションとともに、前記中心軸に向かって、内向きに先細りになっている前記テーパ付き洗い流しポートを構成し、前記パーティションは前記テーパ付き洗い流しポートと前記エンドシールルーメンの前記中間部分との間のスリットを構成し、前記エンドシールルーメンの前記中間部分は前記中間部材ルーメンと連通している、単一エンドシールと、を備え、
前記先端管は前記エンドシールルーメンの前記近位部分内に配置され、かつ長手方向にスライド可能であり、前記中間部材管の前記中間部材近位端は前記エンドシールルーメンの前記遠位部分に配置され、かつ前記長手方向円柱形エンドシール本体に固定され、前記横断方向円柱形エンドシール本体の前記第１の円柱形部分は前記ネジ付きアセンブリの前記第１の側壁ポートに配置され、前記横断方向円柱形エンドシール本体の前記第２の円柱形部分は前記ネジ付きアセンブリの前記第２の側壁ポートに配置され、前記長手方向エンドシール円柱形本体は前記ネジ付きアセンブリルーメン内に配置され、前記洗い流しポートが空いているときに、前記スリットは閉じ、前記洗い流しポートに洗い流しコネクタが完全に挿入されると前記スリットが開く、
ことを特徴とするステントグラフト送達システム。
【請求項１５】
前記単一エンドシールがウレタンおよびシリコーンからなる群から選択される弾性材料を含む、
請求項１４に記載のステントグラフト送達システム。
【請求項１６】
前記単一エンドシールがショアＡジュロメータ硬度６０〜７０の弾性材料を含む、
請求項１４に記載のステントグラフト送達システム。
【請求項１７】
前記中間部材近位端は、前記中間部材近位端と前記長手方向円柱形エンドシール本体との間の摩擦によって、前記長手方向円柱形エンドシールに固定される、
請求項１４に記載のステントグラフト送達システム。
【請求項１８】
前記中間部材近位端は、接着剤で前記長手方向円柱形エンドシール本体に固定される、
請求項１４に記載のステントグラフト送達システム。
【発明の詳細な説明】
【技術分野】
【０００１】
本開示の技術分野は、医療用インプラント装置であり、詳細には、ステントグラフト送達システムである。
【背景技術】
【０００２】
ステントグラフトは、腹部および胸部の大動脈瘤の治療のために開発された。腹部大動脈瘤は腹部を通って延びる身体動脈系の主要血管である腹部大動脈の壁部において生ずる膨張部である。胸部大動脈瘤は胸部を通って延びる身体動脈系の主要血管である胸部大動脈の壁部において生ずる膨張部である。大動脈瘤は、正常血圧の下で経時的に伸縮性を失って破裂する可能性がある。ステントグラフトは、管形の金属ステントで支持された織布管（グラフト）である。ステントグラフトは内部に配置されて動脈瘤血管におよび、正常血流から大動脈瘤を排除して、動脈瘤血管への圧力を減らす。
【０００３】
ステントグラフト送達システムは、大動脈内部でステントグラフトを配備位置に送達するために用いられる。ステントグラフトは、大腿動脈を経由して大動脈に挿入することができる。ステントグラフトが配備位置で適所に至るまで、ステントグラフトをシース内に包囲することができ、その後、ステントグラフトを拡張するためにシースを収縮することができる。ステントグラフト送達システムは、遠隔配備されるステントグラフトを臨床医が操作するために必要な多数の複合部品を含む。
【０００４】
目下、ステントグラフト送達システムは、ステントグラフト配備のためのさまざまな特性要件に応える多数の別個の部品を含む。たとえば、ステントグラフト送達システムの管は、施術の間の血液消失を減らすために恒常性維持の封止を含まなければならない。管はまた、施術の前に血管への空気送達を防ぐために流体による充填を可能にするように洗い流し可能でもなければならない。管および他の部品はまた、それらの機能を実行するために部品が移動可能となるまたは固定することができるように、関連部品に対して固定または終端されなければならない。残念なことに、多数の個別の部品は、製造および在庫コストを増大させる。組付け時間は増加し、コストは増加する。
【発明の概要】
【発明が解決しようとする課題】
【０００５】
上記の欠点を克服するステントグラフト送達システムを有することが、望ましい。
【課題を解決するための手段】
【０００６】
本発明による１つの態様は、ステントグラフト送達システムであって、先端管を有する先端アセンブリと、中間部材近位端を有し、中間部材ルーメンを構成する中間部材管であって、先端管が、その中間部材ルーメン内に配置され、かつ長手方向にスライド可能である、中間部材管と、動作可能にシース管近位端に接続されたシース管およびシースハンドルを有するシースアセンブリであって、シース管はシースルーメンを構成し、中間部材管はシースルーメン内に配置され、かつ長手方向にスライド可能である、シースアセンブリと、 外ネジを有し、ネジ付きアセンブリルーメン、第１の側壁ポートおよび第２の側壁ポートを構成するネジ付きアセンブリと、長手方向円柱形エンドシール（ｅｎｄｏｓｅａｌ）本体および長手方向円柱形エンドシール本体を横断する横断方向円柱形エンドシール本体を有する単一エンドシールであって、長手方向円柱形エンドシール本体は近位部分、中間部分、および遠位部分を有するエンドシールルーメンを構成し、横断方向円柱形エンドシール本体は第１の円柱形部分および第２の円柱形部分を有する、単一エンドシールと、を含むステントグラフト送達システムを提供する。先端管はエンドシールルーメンの近位部分内に配置され、かつ長手方向にスライド可能であり、中間部材管の中間部材近位端はエンドシールルーメンの遠位部分に配置され、長手方向円柱形エンドシール本体に固定され、横断方向円柱形エンドシール本体の第１の円柱形部分はネジ付きアセンブリの第１の側壁ポートに配置され、横断方向円柱形エンドシール本体の第２の円柱形部分はネジ付きアセンブリの第２の側壁ポートに配置され、長手方向エンドシール円柱形本体はネジ付きアセンブリルーメン内に配置される。シースハンドルは、第１の構成でネジ付きアセンブリの外ネジと係合し、シースハンドルの回転によって中間部材管および先端管に対して長手方向にシース管を移動し、第２の構成でネジ付きアセンブリの外ネジを係脱し、シースハンドルの長手方向運動によって中間部材管および先端管に対して長手方向にシース管を移動する。
【０００７】
本発明の別の態様は、先端管を有するステントグラフト送達システムに使用するための単一エンドシールと、 中間部材近位端を有し、中間部材ルーメンを構成する中間部材管と、ネジ付きアセンブリルーメン、第１の側壁ポートおよび第２の側壁ポートを構成するネジ付きアセンブリと、を提供する。 単一エンドシールは、長手方向円柱形エンドシール本体、近位部分、中間部分および遠位部分を有するエンドシールルーメンを構成する長手方向エンドシール円柱形本体と、長手方向円柱形エンドシール本体を横断し、第１の円柱形部分および第２の円柱形部分を有する横断方向円柱形エンドシール本体と、を含む。先端管はエンドシールルーメンの近位部分内に配置され、かつ長手方向にスライド可能であり、中間部材管の中間部材近位端はエンドシールルーメンの遠位部分に配置され、長手方向円柱形エンドシール本体に固定され、横断方向円柱形エンドシール本体の第１の円柱形部分はネジ付きアセンブリの第１の側壁ポートに配置され、横断方向円柱形エンドシール本体の第２の円柱形部分はネジ付きアセンブリの第２の側壁ポートに配置され、長手方向エンドシール円柱形本体はネジ付きアセンブリルーメンに配置される。
【０００８】
本発明の別の態様は、ステントグラフト送達システムであって、先端管を有する先端アセンブリと、中間部材近位端を有し、中間部材ルーメンを構成する中間部材管であって、先端管が中間部材ルーメン内に配置され、かつ長手方向にスライド可能である、中間部材管と、シース管近位端に動作可能に接続されたシース管およびシースハンドルを有するシースアセンブリであって、シース管はシースルーメンを構成し、中間部材管はシースルーメン内に配置され、かつ長手方向にスライド可能であるシースアセンブリと、 外ネジを有し、ネジ付きアセンブリルーメン、第１の側壁ポートおよび第２の側壁ポートを構成するネジ付きアセンブリと、長手方向円柱形エンドシール本体および長手方向円柱形エンドシール本体を横断する横断方向円柱形エンドシール本体を有する単一エンドシールであって、長手方向エンドシール円柱形本体は、中心軸を有し、近位部分、中間部分、および遠位部分を有するエンドシールルーメンを構成し、横断方向円柱形エンドシール本体は、第１の円柱形部分および第２の円柱形部分を有し、第１の横断円柱形部分は、テーパ付き洗い流しポートとエンドシールルーメンの中間部分との間のパーティションをともなう、中心軸へ向けて、内向きにテーパ状になっているテーパ付き洗い流しポートを構成し、パーティションはエンドシールルーメンのテーパ付き洗い流しポートと中間部分との間のスリットを構成し、エンドシールルーメンの中間部分が中間部材ルーメンと連通する、単一エンドシールと、を含むステントグラフト送達システムを提供する。先端管はエンドシールルーメンの近位部分内に配置され、長手方向にスライド可能であり、中間部材管の中間部材近位端はエンドシールルーメンの遠位部分に配置され、長手方向円柱形エンドシール本体に固定され、横断方向円柱形エンドシール本体の第１の円柱形部分はネジ付きアセンブリの第１の側壁ポートに配置され、横断方向円柱形エンドシール本体の第２の円柱形部分はネジ付きアセンブリの第２の側壁ポートに配置され、長手方向エンドシール円柱形本体はネジ付きアセンブリルーメンに配置され、洗い流しポートが空いているときに、スリットは閉じ、そして、洗い流しポートに洗い流しコネクタが完全に挿入されるとスリットが開く。
【０００９】
前述の、そして他の特徴および利点は、添付の図面とともに読まれる、以下の実施形態の詳細な説明から更に明白となるであろう。
【図面の簡単な説明】
【００１０】
【図１Ａ】ステントグラフト送達システムの側面図である。
【図１Ｂ】ステントグラフト送達システムの側面図である。
【図２Ａ】ステントグラフト送達システムのネジ付き管部分の側面図である。
【図２Ｂ】ステントグラフト送達システムのネジ付き管部分の平面図である
【図３Ａ】ステントグラフト送達システムの詳細な側断面図である。
【図３Ｂ】ステントグラフト送達システムの詳細な側断面図である。
【図４Ａ】ステントグラフト送達システムの単一エンドシールのさまざまな図である。
【図４Ｂ】ステントグラフト送達システムの単一エンドシールのさまざまな図である。
【図４Ｃ】ステントグラフト送達システムの単一エンドシールのさまざまな図である。
【図４Ｄ】ステントグラフト送達システムの単一エンドシールのさまざまな図である。
【図４Ｅ】ステントグラフト送達システムの単一エンドシールのさまざまな図である。
【発明を実施するための形態】
【００１１】
図１Ａ及び図１Ｂはステントグラフト送達システムの側面図であり、類似の要素は類似の参照番号を共有する。ステントグラフト送達システム１００は、先端アセンブリ１１０、中間部材管１２０、シースアセンブリ１３０、ネジ付きアセンブリ１４０、単一エンドシール１５０および単一前方グリップ１６０を含む。ステントグラフト送達システム１００の遠位端１０２はステントグラフトを送達するために血管に挿入され、ステントグラフト送達システム１００の近位端１０４は患者の外側に残ったままである。本願明細書において用いられる場合、遠位および近位は、近位端１０４が施術者により近いように、ステントグラフト送達システム１００の施術者の視点から定義される。
【００１２】
先端アセンブリ１１０は、先端管１１２、先端管１１２の遠位端に動作可能に接続されたステントグラフト維持装置１１４および先端管１１２の近位端に動作可能に接続された先端ハンドル１１８を含む。先端管１１２は、先端管１１２の内側に沿って長手方向にガイドワイヤルーメンを構成することができる。ステントグラフト送達システム１００は、ガイドワイヤをガイドワイヤルーメンに挿入することによってステントグラフト配備部位まで患者の脈管構造内に配備されるガイドワイヤに追従することができる。中間部材管１２０は、中間部材近位端を有し、中間部材管１２０の内側に沿って長手方向に中間部材ルーメンを構成する。先端管１１２は中間部材ルーメン内に配置され、かつ長手方向にスライド可能である。
【００１３】
シースアセンブリ１３０は、シース管近位端に使用可能な状態で接続しているシース管１３２およびシースハンドル１３４を含む。シース管１３２は、シース管１３２の内側に沿って長手方向にシースルーメンを構成する。中間部材管１２０はシースルーメン内に配置され、長手方向にスライド可能である。この例では、シースハンドル１３４は回転可能なシースハンドル１３６およびスライド可能なシースハンドル１３８を含み、これらは回転可能なシースハンドル１３６の回転をさらに可能にする一方で、回転可能なシースハンドル１３６およびスライド可能なシース１３８を単一のシースハンドルに連結することができるように相補的な継手を含む。
【００１４】
ネジ付きアセンブリ１４０は外ネジ１４２を有し、ネジ付きアセンブリルーメン、第１の側壁ポートおよび第２の側壁ポートを構成する。ネジ付きアセンブリ１４０は、第１のネジ付き管部分１４４および第２のネジ付き管部分１４６を含むことができる。単一前方グリップ１６０および／または単一後方グリップ１１６は、ネジ付きアセンブリ１４０を共に形成するように第１のネジ付き管部分１４４および第２のネジ付き管部分１４６を押圧することができる。シースハンドル１３４は、ネジ付きアセンブリ１４０の外ネジ１４２と第１の構成で係合し、シースハンドル１３４の回転によって、中間部材管１２０および先端管１１２に対して長手方向にシース管１３２を移動する。シースハンドル１３４は、ネジ付きアセンブリ１４０の外ネジ１４２と第２の構成で係脱し、シースハンドル１３４の長手方向運動によって、中間部材管１２０および先端管１１２に対して長手方向にシース管１３２を移動する。
【００１５】
単一エンドシール１５０は、長手方向円柱形エンドシール本体および横断方向円柱形エンドシール本体を含む。横断方向円柱形エンドシール本体の部分は、ネジ付きアセンブリ１４０の第１の側壁ポートおよび第２の側壁ポートに配置されている。長手方向円柱形エンドシール本体は、ネジ付きアセンブリのルーメンに配置されている。先端管１１２はエンドシールルーメン部分内に配置され、かつ長手方向にスライド可能である。中間部材管１２０の中間部材近位端はエンドシールルーメンの別の部分に配置され、長手方向円柱形エンドシール本体に固定される。本願明細書において用いられる場合、単一は単独で、全ての部品であると定義され、他の部品から組み立てられた部品ではない。
【００１６】
単一前方グリップ１６０は、前方グリップルーメンを構成する。第１のネジ付き部分１４４および第２のネジ付き部分１４６は、前方グリップルーメン内の単一前方グリップ１６０によって、共に半径方向に押圧される。シース管１３２は前方グリップルーメンの部分内に配置され、かつ長手方向にスライド可能である。ネジ付きアセンブリ１４０の遠位端は前方グリップルーメンの別の部分に配置され、単一前方グリップ１６０に固定される。この例では、単一前方グリップ１６０はシャンペン瓶形の外形を有する。本願明細書において用いられる場合、単一は単独で全ての部品であると定義され、他の部品から組み立てられた部品ではない。
【００１７】
施術において、ステントグラフトはステントグラフト維持装置１１４と中間部材管１２０との間の先端管１１２上でステントグラフト送達システム１００に装填される。シース管１３２は、ステントグラフト上を遠位方向にステントグラフト維持装置１１４へ進み、シース管１３２のルーメン内でステントグラフトを位置決めし、ステントグラフトを圧縮構成のまま保持する。シースハンドル１３４の回転可能なシースハンドル１３６およびスライド可能なシースハンドル１３８は、共に連結される。
【００１８】
ガイドワイヤは、患者の脈管構造に位置決めされ、ステントグラフト送達システム１００は、ステントグラフトが大動脈瘤内のような配備部位になるまで、脈管構造を通ってガイドワイヤの上を進んだ。施術者は、単一前方グリップ１６０を握り、ネジ山に沿った動作によって生成される機械的な効果を使って回転可能なシースハンドル１３６を回転させ、徐々にシース管１３２を引き戻してステントグラフトの遠位部分を解放する。ステントグラフトの遠位部分が満足に配備されると、回転可能なシースハンドル１３６およびスライド可能なシースハンドル１３８は分離することができ、施術者は直接に直線的な長手方向運動を用いてスライド可能なシースハンドル１３８を長手方向にスライドさせ、シース管１３２を引き戻してステントグラフトの残りの部分を配備することができる。ステントグラフト全体が配備されると、今度は、施術者はステントの支柱を一時停止状態に保っていた先端捕獲（Ｔｉｐ Ｃａｐｔｕｒｅ）をリリースする用意が整う。これは、単一後方グリップ１１６を前へ押すことによって達成され、単一後方グリップはステントグラフト維持装置１１４からステント支柱を出すように移動し、デバイスを固定しているステント支柱を血管壁に埋め込むことができる。ステントグラフトが配備されると、単一後方グリップ１１６を元の位置へ引き戻すことによって、先端捕獲機構は退縮のために準備される。これが終わると、全送達システムは、脈管構造から除去されてもよい。
【００１９】
類似の要素が類似の参照番号を共有する図２Ａおよび図２Ｂは、それぞれ、ステントグラフト送達システムのネジ付き管部分の側面図および平面図である。一対のネジ付き管部分は、組み合わされてネジ付きアセンブリを形成する。ネジ付き管部分２００は、シースハンドル１３４により係合することができる外ネジ２０２を含み、シースハンドルの回転によって徐々にシースを長手方向に移動する。シースは、一対のネジ付き管部分内で構成されたネジ付きアセンブリルーメン内で移動する。一実施形態において、シースハンドルの一部分（例えばリブまたはスプライン）がネジ付きアセンブリの外部から通過して、ネジ付きアセンブリルーメン内のシースに接続することができるように、ネジ付き部分２００はエッヂスロット２０４を含む。ネジ付き管部分２００はまた、側壁ポート２０６および／または前方グリップアラインメントスロット２０８も構成することができる。側壁ポートは単一エンドシール本体の一部分を受容し、ネジ付きアセンブリを形成するように相互にネジ付き管部分を整列するのを助成し、中間部材ルーメンを洗い流すためのアクセスを提供することができる。前方グリップアラインメントスロットは整列するための単一前方グリップの相補的形状部分を受容して、差動トルクが両者間で付与されるときに、ネジ付き管部分に対する単一前方グリップの回転を防ぐ。
【００２０】
類似の要素が類似の参照番号を共有する図３Ａおよび図３Ｂは、ステントグラフト送達システムの詳細な側断面図である。ステントグラフト送達システム３００において、先端管３１２はシース管３３２に配置されている中間部材管３２０に配置される。先端管３１２の近位端は先端ハンドル３１８との接続部３１９で終端し、ガイドワイヤルーメンは先端ハンドル３１８を経由して続く。先端管３１２は、単一エンドシール３５０で中間部材管３２０へ進入する。中間部材管３２０の近位端は単一エンドシール３５０で終端し、中間部材管３２０は先端管３１２受け入れ、かつ流体密封でスライド可能に封止する。中間部材管３２０によって構成される洗い流しポート３５２は、中間部材ルーメンと流体連結し、洗い流しコネクタが洗い流しポート３５２に挿入されると中間部材ルーメンを洗い流すことができる。シース管３３２の近位端は、スライド可能なシースハンドル３３８で終端する。シース管３３２は、単一前方グリップ３６０によって構成される前方グリップの近位部分３６２内でスライド可能である。単一前方グリップ３６０のアラインメントタブ３６４は、第１のネジ付き部分３４４および第ネジ付き部分３４６の前方グリップアラインメントスロット３４１内へ延長する。
【００２１】
回転可能なシースハンドル３３６の内側ネジ部３３７は、ネジ付きアセンブリ３４０の外ネジ３４２と係合する。回転可能なシースハンドル３３６およびスライド可能なシースハンドル３３８が結合されると、回転可能なシースハンドル３３６の回転はスライド可能なシースハンドル３３８を長手方向に移動させ、同時にシース管３３２を移動させる。回転可能なシースハンドル３３６およびスライド可能なシースハンドル３３８が分離されると、スライド可能なシースハンドル３３８の長手方向運動は、回転可能なシースハンドル３３６とは無関係に、シース管３３２を長手方向に移動させる。このように、シースハンドルは、結合した回転可能なシースハンドル３３６およびスライド可能なシースハンドル３３８とは第１の構成で外ネジと係合し、分離した回転可能なシースハンドル３３６およびスライド可能なシースハンドル３３８とは第２の構成で外ネジとの機械的な結合から係脱する。当業者は、回転可能なシースハンドルおよびスライド可能なシースハンドルの作用が例示的であり、特定応用のために所望される様に、シース管の長手方向の変位を他のシースハンドルメカニズムによって成し遂げることができることを理解するであろう。
【００２２】
類似の要素が類似の参照番号を共有する図４Ａ〜図４Ｅは、ステントグラフト送達システムの単一エンドシールのさまざまな図面である。図４Ａは側面図であり、図４Ｂは平面図であり、図４Ｃは長手方向の側断面図であり、図４Ｄは先端管および中間部材管を示す長手方向の側断面図あり、そして図４Ｅは先端管、中間部材管およびネジ付きアセンブリを示す長手方向の側断面図である。
【００２３】
図４Ａ及び図４Ｂを参照すると、単一エンドシール４００は、先端管と、中間部材近位端を有し、かつ中間部材ルーメンを構成する中間部材管とネジ付きアセンブリとを有するステントグラフト送達システムで使用され、ネジ付きアセンブリはネジ付きアセンブリルーメン、第１の側壁ポートおよび第２の側壁ポートを構成する。 単一エンドシール４００は長手方向円柱形エンドシール本体４１０を含み、横断方向円柱形エンドシール本体４２０は長手方向円柱形エンドシール本体４１０を横断する。横断方向円柱形エンドシール本体４２０は、第１の円柱形部分４２２および第２の円柱形部分４２４を有する。スリット４２６は、テーパ付き洗い流しポート４２８とエンドシールルーメンの中間部分との間で連通する。単一エンドシール４００は特定の応用のために所望される任意弾性材料から形成することができる。一実施形態において、単一前方グリップ４００はウレタン、シリコーン、等の弾性材料である。一実施形態において、弾性材料はショアＡジュロメータ硬度６０〜７０を有する。
【００２４】
図４Ｃを参照すると、長手方向エンドシール円柱形本体４２２は、近位部分４１８、中間部分４１６および遠位部分４１４を有するエンドシールルーメン４１２を構成する。長手方向エンドシール円柱形本体４２２は中心軸４４０を有し、第１の円柱形部分４２２はテーパ付き洗い流しポート４２８とエンドシールルーメン４１２の中間部分４１６との間のパーティション４３０を有する、中心軸４４０に向かって内向きに先細りになっているテーパ付き洗い流しポート４２８を構成する。パーティション４３０は、テーパ付き洗い流しポート４２８とエンドシールルーメン４１２の中間部分４１６との間のスリット４２６を構成する。エンドシールルーメン４１２の中間部分４１６は、中間部材管の中間部材ルーメンと連通している。
【００２５】
施術において、テーパ付き洗い流しポート４２８が空いていると、スリット４２６は閉じ、破片または汚れがエンドシールルーメン４１２の中間部分４１６および中間部材管の中間部材ルーメンへ侵入するのを防止する。中心軸４４０近くのテーパ付き洗い流しポート４２８の直径より大きな直径を有する洗い流しコネクタ（図示せず）は、スリット４２６を開くために用いることができる。一実施例において、洗い流しコネクタはルアー継手（Ｌｕｅｒ  ｆｉｔｔｉｎｇ）の雄型部分である。洗い流しコネクタがテーパ付き洗い流しポート４２８に挿入されると、テーパ付き洗い流しポート４２８の壁上の半径方向の力はテーパ付き洗い流しポート４２８の直径を拡大し、洗い流しコネクタを順応させる。洗い流しコネクタが完全にテーパ付き洗い流しポート４２８に挿入されると、テーパ付き洗い流しポート４２８の拡大はパーティション４３０を拡大し、スリット４２６を開く。テーパ付き洗い流しポート４２８の壁は洗い流しコネクタ上の半径方向の圧縮力を維持して密封を提供し、テーパ付き洗い流しポート４２８の中に洗い流しコネクタを維持する。ステントグラフト送達器具が患者に使われる前に中間部材管の中間部材ルーメンを洗い流すために、スリット４２６を通し、エンドシールルーメン４１２の中間部分４１６を通し、かつ中間部材管の中間部材ルーメンを通して、流体を洗い流しコネクタを通して提供することができる。洗い流しコネクタがテーパ付き洗い流しポート４２８から引き出されると、スリット４２６は閉じる。
【００２６】
図４Ｄを参照すると、先端管４４０はエンドシールルーメン４１２の近位部分４１８内に配置され、長手方向にスライド可能である。中間部材管４５０の中間部材近位端４５２は、エンドシールルーメン４１２の遠位部分４１４に配置されていて、長手方向円柱形エンドシール本体４１０に固定される。一実施形態において、中間部材近位端４５２は中間部材近位端４５２と長手方向円柱形エンドシール本体４１０との間の分離を防ぐために摩擦抵抗を使用する締り嵌めによって長手方向円柱形エンドシール本体に固定される。他の実施形態において、中間部材近位端４５２は接着剤により長手方向円柱形エンドシール本体４１０に固定される。長手方向円柱形エンドシール本体４１０は、製造の間に、中間部材近位端４５２への接着剤の塗布のための接着剤ポート４１９を構成することができる。
【００２７】
図４Ｅを参照すると、横断方向円柱形エンドシール本体４２０の第１の円柱形部分４２２は、ネジ付きアセンブリ４５０の第１のネジ付き管部分４５３によって構成される第１の側壁ポート４５２に配置される。横断方向円柱形エンドシール本体４２０の第２の円柱形の部分４２４は、ネジ付きアセンブリ４５０の第２のネジ付き管部分４５５によって構成される第２の側壁ポート４５４に配置される。長手方向エンドシール円柱形本体４１０は、ネジ付きアセンブリルーメン４５６に配置される。
【００２８】
特定の実施形態が本願明細書において開示されるが、さまざまな変更および改変を本発明の精神と範囲から逸脱することなく行うことができる。
【図１Ａ】
0005887639.tif 000002
【図１Ｂ】
0005887639.tif 000003
【図２Ａ】
0005887639.tif 000004
【図２Ｂ】
0005887639.tif 000005
【図３Ａ】
0005887639.tif 000006
【図３Ｂ】
0005887639.tif 000007
【図４Ａ】
0005887639.tif 000008
【図４Ｂ】
0005887639.tif 000009
【図４Ｃ】
0005887639.tif 000010
【図４Ｄ】
0005887639.tif 000011
【図４Ｅ】
0005887639.tif 000012